(57)【要約】【課題】連結駒が動作表示片に正常に連結されない状態では一対の電磁接触器への可逆ユニットの装着を不可能とし、可逆ユニットの誤装着を防止することができる可逆型電磁接触器を提供する。【解決手段】電磁接触器１ａに、動作表示片４ａに連結可能な表示窓３ａ内の正規位置ＮＰに可逆ユニット６の連結駒６ｆが進入してくる場合には連結駒の進入を許容し、正規位置ＮＰから外れた表示窓３ａ内の位置に連結駒が進入してくる場合には連結駒の進入を阻止する誤装着防止手段８を設けた。【選択図】図３
2011044286.tif 000002
【特許請求の範囲】
【請求項１】
隣接配置した一対の電磁接触器と、これら電磁接触器に跨がって装着される可逆ユニットとを有し、前記一対の電磁接触器は、本体ケースに収納された可動接点支えと、この可動接点支えに固定され、前記本体ケースのユニット装着部に設けた表示窓に向けて突出した動作表示片とを備え、前記可逆ユニットは、初期位置が保持されていない一対の連結駒を、前記表示窓内に進入させて前記一対の電磁接触器の動作表示片にそれぞれ連結される可逆型電磁接触器において、
前記電磁接触器及び前記連結駒の少なくとも一方に、前記動作表示片に連結可能な前記表示窓内の正規位置に前記連結駒が進入してくる場合には当該連結駒の進入を許容し、前記正規位置から外れた前記表示窓内の位置に前記連結駒が進入してくる場合には当該連結駒の進入を阻止する誤装着防止手段を設けたことを特徴とする可逆型電磁接触器。
【請求項２】
前記誤装着防止手段は、前記表示窓に対面する前記可動接点支えの部位に設けた進入規制部であり、
当該進入規制部は、前記連結駒が前記表示窓内の正規位置に進入してくる場合には当該連結駒に接触せず、前記連結駒が前記正規位置から外れた位置に進入してくる場合には当該連結駒に当接して進入を阻止することを特徴とする請求項１記載の可逆型電磁接触器。
【請求項３】
前記誤装着防止手段は、前記動作表示片の周囲の前記可動接点支えに設けた凹部と、前記連結駒の先端に設けた凸部であり、
前記連結駒が前記表示窓内の正規位置に進入してくる場合には前記凸部が前記凹部に入り込んで前記ユニット装着部に前記可逆ユニットを装着可能とし、前記連結駒が前記正規位置から外れた位置に進入してくる場合には前記凸部が前記凹部以外の前記可動接点支えに接触し、前記ユニット装着部への前記可逆ユニットの装着を不可能とすることを特徴とする請求項１記載の可逆型電磁接触器。
【請求項４】
前記誤装着防止手段は、前記表示窓を形成する内壁の一部に設けた第１係合進入規制部と、前記連結駒の先端から外側に突出して設けた第２係合進入規制部であり、
前記連結駒が前記表示窓内の正規位置に進入してくる場合には前記第１及び第２係合進入規制部が係合せず、前記ユニット装着部に前記可逆ユニットを装着可能とし、前記連結駒が前記正規位置から外れた位置に進入してくる場合には前記第１及び第２係合進入規制部が係合して前記ユニット装着部への前記可逆ユニットの装着を不可能とすることを特徴とする請求項１記載の可逆型電磁接触器。
【発明の詳細な説明】
【技術分野】
【０００１】
本発明は、隣接配置した２台の電磁接触器に跨がって可逆ユニットを装着した可逆型電磁接触器に関する。
【背景技術】
【０００２】
誘導電動機の給電回路に接続し、誘導電動機の正逆運転制御を行なう可逆型電磁接触器として、可逆ユニットを、隣接配置した２台の電磁接触器に跨がるように装着し、２台の電磁接触器が同時に閉路（ＯＮ）状態となるのを可逆ユニットが機械的にロックする装置が知られている（例えば特許文献１）。
図１１から図１４は、従来の可逆型電磁接触器を具体的に示したものである。
【０００３】
図１１に示すように、隣接配置した２台の電磁接触器１ａ，１ｂは、消弧カバー２ａ，２ｂに表示窓３ａ，３ｂが設けられており、これら表示窓３ａ，３ｂ内に、装置内部から動作表示片４ａ，４ｂが突出している。
図１２に示すように、一方の電磁接触器１ａの動作表示片４ａは、電磁接触器１ａの内部に配置した可動接点支え４に固定されて表示窓３ａ内に向けて延在する部材であり、可動接点支え４の閉路（ＯＮ）動作、開路（ＯＦＦ）動作とともに動作表示片４ａの表示窓３ａ内の位置が変化することで、可動接点支え４の動作が確認できる。また、他方の電磁接触器１ｂの動作表示片４ｂも、表示窓３ｂ内の位置が変化することで、電磁接触器１ｂの内部に配置した可動接点支え（不図示）の閉路（ＯＮ）動作、開路（ＯＦＦ）動作が確認できる。
【０００４】
可逆ユニット６は、図１１に示すように、２台の電磁接触器１ａ，１ｂに跨がった状態で消弧カバー２ａ，２ｂに連結されるユニット底板６ａと、このユニット底板６ａに周縁部同士が係合するユニットカバー６ｂとを有し、これらユニット底板６ａ及びユニットカバー６ｂの内部空間に、ロック機構を構成する第１回動板６ｃ、第２回動板６ｄ及び回動規制部材６ｅが相互に回動自在に連結されている。また、第１回動板６ｃ及び第２回動板６ｄの端部には、筒形状の連結駒６ｆ，６ｇが形成されており、底板６ａに形成した開口部６ｈ，６ｉを通過して外部に突出している。そして、ユニット底板６ａには複数のフック部６ｊが形成され、消弧カバー２ａ，２ｂにも各フック部６ｊに対応する複数の係合孔２ｃが形成されており、ユニット底板６ａが消弧カバー２ａ，２ｂに当接したときに、複数のフック部６ｊが対応する係合孔２ｃに着脱自在に係合するようになっている。
【０００５】
そして、図１３にも示すように、可逆ユニット６の連結駒６ｆ，６ｇを、２台の電磁接触器１ａ，１ｂの動作表示片４ａ，４ｂの頭部にそれぞれ嵌合状態で連結することで、回動規制部材６ｅが第１回動板６ｃ及び第２回動板６ｄの一方を回動させ、且つ他方を回動規制し、動作表示片４ａ，４ｂの一方のみを移動可能とし、２台の電磁接触器１ａ，１ｂが同時に閉路（ＯＮ）動作となるのを機械的にロックするようになっている。
【先行技術文献】
【特許文献】
【０００６】
【特許文献１】特開平３−２６６３２５号公報
【発明の開示】
【発明が解決しようとする課題】
【０００７】
ところで、可逆ユニット６は、電磁接触器１ａ，１ｂに連結した際に与える負荷軽減のために連結駒６ｆ，６ｇの初期位置を保持しておくバネ部材などの保持部材を設けていない。このため、可逆ユニット６を２台の電磁接触器１ａ，１ｂに跨がって装着する際には、図１４に示すように、開口部６ｈから突出して初期位置が設定されていない連結駒６ｆが、動作表示片４ａに連結可能な正規位置から外れてしまうと、連結駒６ｆが動作表示片４ａに連結しない状態で可逆ユニット６が電磁接触器１ａ，１ｂに装着されるおそれがある。なお、図示しないが、可逆ユニット６を装着する際に、他方の連結駒６ｇも動作表示片４ｂに連結されない場合がある。
【０００８】
そこで、本発明は、上記従来例の未解決の課題に着目してなされたものであり、連結駒が動作表示片に正常に連結されない状態では２台の電磁接触器への可逆ユニットの装着を不可能とし、可逆ユニットの誤装着を防止することができる可逆型電磁接触器を提供することを目的としている。
【課題を解決するための手段】
【０００９】
上記目的を達成するために、本発明に係る可逆型電磁接触器は、隣接配置した一対の電磁接触器と、これら電磁接触器に跨がって装着される可逆ユニットとを有し、前記一対の電磁接触器は、本体ケースに収納された可動接点支えと、この可動接点支えに固定され、前記本体ケースのユニット装着部に設けた表示窓に向けて突出した動作表示片とを備え、前記可逆ユニットは、初期位置が保持されていない一対の連結駒を、前記表示窓内に進入させて前記一対の電磁接触器の動作表示片にそれぞれ連結される可逆型電磁接触器において、前記電磁接触器及び前記連結駒の少なくとも一方に、前記動作表示片に連結可能な前記表示窓内の正規位置に前記連結駒が進入してくる場合には当該連結駒の進入を許容し、前記正規位置から外れた前記表示窓内の位置に前記連結駒が進入してくる場合には当該連結駒の進入を阻止する誤装着防止手段を設けた。
【００１０】
この発明によると、連結駒が動作表示片に正常に連結されない状態では一対の電磁接触器への可逆ユニットの装着を不可能とし、可逆ユニットの誤装着が防止される。
また、本発明に係る可逆型電磁接触器は、前記誤装着防止手段が、前記表示窓に対面する前記可動接点支えの部位に設けた進入規制部であり、当該進入規制部は、前記連結駒が前記表示窓内の正規位置に進入してくる場合には当該連結駒に接触せず、前記連結駒が前記正規位置から外れた位置に進入してくる場合には当該連結駒に当接して進入を阻止する。
【００１１】
この発明によると、可動接点支えに形成した進入規制部が、初期位置が保持されていない連結駒を備えた可逆ユニットに対して、正規位置以外の位置から連結駒が表示窓に進入しようとするのを阻止し、連結駒が動作表示片に正常に連結されない状態を確実に防止することができる。
また、本発明に係る可逆型電磁接触器は、前記誤装着防止手段が、前記動作表示片の周囲の前記可動接点支えに設けた凹部と、前記連結駒の先端に設けた凸部であり、前記連結駒が前記表示窓内の正規位置に進入してくる場合には前記凸部が前記凹部に入り込んで前記ユニット装着部に前記可逆ユニットを装着可能とし、前記連結駒が前記正規位置から外れた位置に進入してくる場合には前記凸部が前記凹部以外の前記可動接点支えに接触し、前記ユニット装着部への前記可逆ユニットの装着を不可能とする。
【００１２】
この発明によると、可動接点支えに設けた凹部と、連結駒の先端に設けた凸部が、初期位置が保持されていない連結駒を備えた可逆ユニットに対して、正規位置以外の位置から連結駒が表示窓に進入しようとするのを阻止し、連結駒が動作表示片に正常に連結されない状態を確実に防止することができる。
さらに、本発明に係る可逆型電磁接触器は、前記誤装着防止手段が、前記表示窓を形成する内壁の一部に設けた第１係合進入規制部と、前記連結駒の先端から外側に突出して設けた第２係合進入規制部であり、前記連結駒が前記表示窓内の正規位置に進入してくる場合には前記第１及び第２係合進入規制部が係合せず、前記ユニット装着部に前記可逆ユニットを装着可能とし、前記連結駒が前記正規位置から外れた位置に進入してくる場合には前記第１及び第２係合進入規制部が係合して前記ユニット装着部への前記可逆ユニットの装着を不可能とする。
【００１３】
この発明によると、表示窓を形成する内壁の一部に設けた第１係合進入規制部と、連結駒の先端から外側に突出して設けた第２係合進入規制部とが初期位置が保持されていない連結駒を備えた可逆ユニットに対して、正規位置以外の位置から連結駒が表示窓に進入しようとするのを阻止し、連結駒が動作表示片に正常に連結されない状態を確実に防止することができる。
【発明の効果】
【００１４】
本発明に係る可逆型電磁接触器によれば、連結駒が動作表示片に正常に連結されない状態では一対の電磁接触器への可逆ユニットの装着が不可能とされ、可逆ユニットの誤装着を確実に防止することができる。
【図面の簡単な説明】
【００１５】
【図１】本発明に係る第１実施形態の可逆型電磁接触器の要部を示す斜視図である。
【図２】第１実施形態において可逆ユニットの連結駒が正規位置に保持されていない状態を示す図である。
【図３】第１実施形態において可逆ユニットの連結駒が正規位置に保持され、動作表示片に連結している状態を示す図である。
【図４】本発明に係る第２実施形態において可逆ユニットの連結駒が正規位置に保持されていない状態を示す図である。
【図５】第２実施形態において可逆ユニットの連結駒が正規位置に保持され、動作表示片に連結している状態を示す図である。
【図６】第２実施形態の連結駒の形状を示す図である。
【図７】本発明に係る第３実施形態の可逆型電磁接触器の要部を示す斜視図である。
【図８】第３実施形態において可逆ユニットの連結駒が正規位置に保持されていない状態を示す図である。
【図９】第３実施形態において可逆ユニットの連結駒が正規位置に保持され、動作表示片に連結している状態を示す図である。
【図１０】第３実施形態の可逆型電磁接触器の内部構造を、可動接点支えが駆動する方向から示した図である。
【図１１】従来の可逆型電磁接触器を展開斜視図で示した図である。
【図１２】従来の可逆型電磁接触器を側部から示した要部断面図である。
【図１３】従来の可逆型電磁接触器において可逆ユニットの連結駒が正規位置に保持され、動作表示片に連結している状態を示す図である。
【図１４】従来の可逆型電磁接触器において可逆ユニットの連結駒が正規位置に保持されていない状態を示す図である。
【発明を実施するための最良の形態】
【００１６】
以下、本発明に係る可逆型電磁接触器を実施するための最良の形態（以下、実施形態という。）を、図面を参照しながら詳細に説明する。なお、図１１から図１４で示した構成と同一構成部分には同一符号を付して説明を省略する。
以下に説明する各実施形態は、図１１と同様に２台の電磁接触器１ａ，１ｂが隣接配置され、これら電磁接触器１ａ，１ｂに跨がって可逆ユニット６が装着されるが、一方の電磁接触器１ａ及び可逆ユニット６の装着部位のみを示している。
【００１７】
（第１実施形態）
図１から図３は、第１実施形態の可逆型電磁接触器を示すものである。
一方の電磁接触器１ａの可動接点支え４は、図示しない複数の可動接点を備えており、電磁接触器１ａの内部に配置した複数の固定接点に対向している。また、電磁接触器１ａの内部には、可動接点支え４と平行に電磁石が収納されており、電磁石の可動コアと可動接点支え４とが駆動レバー７を介して連結されている。そして、電磁石の励磁コイルが励磁されると可動コアが駆動し、この可動コアの駆動が駆動レバー７を介して可動接点支え４に伝達され、対応する複数の可動接点及び固定接点の開閉動作が行なわれるようになっている。
【００１８】
ここで、図１に示すように、本実施形態の可動接点支え４は、動作表示片４ａに近接する位置に、表示窓３ａに向けて進入規制部８が突出して形成されている。
この進入規制部８は、図３に示すように、可逆ユニット６の連結駒６ｆが動作表示片４ａに嵌合可能な正規位置ＮＰに位置しているときには、表示窓３ａへの連結駒６ｆの進入を許容し、図２に示すように、正規位置ＮＰから外れた位置から連結駒６ｆが表示窓３ａに進入しようとすると、連結駒６ｆの先端に当接して表示窓３ａへの進入を阻止する部材である。
【００１９】
また、他方の電磁接触器１ｂの可動接点支え４にも、動作表示片４ｂに近接する位置に、表示窓３ｂに向けて進入規制部８が突出して形成されており、この進入規制部８は、可逆ユニット６の連結駒６ｇが動作表示片４ｂに嵌合状態で連結可能な正規位置ＮＰに位置しているときには、表示窓３ｂへの連結駒６ｇの進入を許容し、正規位置ＮＰからずれた位置から連結駒６ｇが表示窓３ｂに進入しようとすると、連結駒６ｇの先端に当接して表示窓３ｂへの進入を阻止する。
【００２０】
上記構成によると、可逆ユニット６の開口部６ｈ，６ｉから突出した連結駒６ｆ，６ｇの何れかが、可動接点支え４の動作表示片４ａ，４ｂに連結可能な正規位置ＮＰに位置していない場合には、図２に示すように、動作表示片４ａ，４ｂに近接する位置に設けた進入規制部８が、表示窓３ａ，３ｂへの連結駒６ｆ，６ｇの進入を阻止するので、可逆ユニット６を電磁接触器１ａに装着することができない。一方、図３に示すように、連結駒６ｆ，６ｇを正規位置ＮＰに位置させた可逆ユニット６は、連結駒６ｆ，６ｇが進入規制部８に阻止されずに表示窓３ａ，３ｂに進入して動作表示片４ａ，４ｂに嵌合状態で連結し、ユニット底板６ａを消弧カバー２ａ，２ｂに当接してフック部６ｊ及び係合孔２ｃを係合することで、電磁接触器１ａに装着することができる。
【００２１】
したがって、本実施形態は、可動接点支え４に形成した進入規制部８が、初期位置が保持されていない連結駒６ｆ，６ｇを備えた可逆ユニット６に対して、正規位置ＮＰ以外の位置から連結駒６ｆ，６ｇが表示窓３ａ，３ｂに進入しようとするのを阻止し、連結駒６ｆ，６ｇが動作表示片４ａ，４ｂに正常に連結されない状態を確実に防止することができる。
【００２２】
また、本実施形態は、可逆ユニット６の連結駒６ｆ，６ｇが動作表示片４ａ，４ｂに正常に連結されない状態では、２台の電磁接触器１ａ，１ｂへの可逆ユニット６の装着を不可能としているので、可逆ユニット６の誤装着を防止した可逆型電磁接触器を提供することができる。
そして、可逆ユニット６の誤装着が防止されることで、誘導電動機の正逆運転制御などを行なう可逆型電磁接触器の安全性を確実に高めることができる。
【００２３】
（第２実施形態）
次に、図４から図６は、第２実施形態の可逆型電磁接触器を示すものである。
本実施形態は、図４に示すように、可動接点支え４の表示窓３ａに対向する面に２箇所の凹部１０ａ，１０ｂが形成されている。これら凹部１０ａ，１０ｂは、動作表示片４ａの周囲に形成されている。
また、可逆ユニット６の連結駒６ｆの下端には、一対の凸部１１ａ，１１ｂが形成されており、これら一対の凸部１１ａ，１１ｂは、図６に示すように、互いに平行に延在して形成されている。
【００２４】
本実施形態は、図５に示すように、可逆ユニット６の連結駒６ｆが動作表示片４ａに嵌合可能な正規位置ＮＰに位置しているときには、連結駒６ｆの下端に形成した一対の凸部１１ａ，１１ｂの先端が、動作表示片４ａの周囲に形成した凹部１０ａ，１０ｂに入り込んだ状態でユニット底板６ａが消弧カバー２ａ，２ｂに当接し、フック部６ｊ及び係合孔２ｃを係合することで、電磁接触器１ａに装着することができる。
【００２５】
一方、図４に示すように、正規位置ＮＰから外れた位置から連結駒６ｆが表示窓３ａに進入しようとすると、連結駒６ｆの凸部１１ａ，１１ｂが、可動接点支え４の凹部１０ａ，１０ｂを形成していない面に当接し、ユニット底板６ａが消弧カバー２ａ，２ｂから離間した状態となるので、可逆ユニット６が電磁接触器１ａに装着することができない。
また、図示しないが、他方の電磁接触器１ｂの可動接点支え４の表示窓３ｂに対向する面にも、同様な構造の２箇所の凹部１０ａ，１０ｂが形成されているとともに、可逆ユニット６の連結駒６ｇの下端にも、同様な構造の一対の凸部１１ａ，１１ｂが形成され、同様の作用を得ることができる。
【００２６】
したがって、本実施形態も、電磁接触器１ａ，１ｂの可動接点支え４に形成した２箇所の凹部１０ａ，１０ｂ及び可逆ユニット６の連結駒６ｆ，６ｇの下端に形成した一対の凸部１１ａ，１１ｂが、初期位置が保持されていない連結駒６ｆ，６ｇを備えた可逆ユニット６に対して、正規位置ＮＰ以外の位置から連結駒６ｆ，６ｇが表示窓３ａ，３ｂに進入しようとするのを阻止し、連結駒６ｆ，６ｇが動作表示片４ａ，４ｂに正常に連結されない状態を確実に防止することができる。
【００２７】
また、本実施形態は、可逆ユニット６の連結駒６ｆ，６ｇが動作表示片４ａ，４ｂに正常に連結されない状態では、２台の電磁接触器１ａ，１ｂへの可逆ユニット６の装着を不可能としているので、可逆ユニット６の誤装着を防止し、安全性を高めた可逆型電磁接触器を提供することができる。
【００２８】
（第３実施形態）
さらに、図７から図１０は、第３実施形態の可逆型電磁接触器を示すものである。
本実施形態は、図７に示すように、電磁接触器１ａの表示窓３ａを形成している内壁に第１係合進入規制部１２が突出して形成されている。この第１係合進入規制部１２は、可逆ユニット６の連結駒６ｆが動作表示片４ａに嵌合可能な正規位置ＮＰから外れた位置の表示窓３ａの内壁のみに形成されている。
可逆ユニット６の連結駒６ｆの下部には、図１０（ａ）に示すように、外側に突出する第２係合進入規制部１３が形成されており、この第２係合進入規制部１３は、表示窓３ａの正規位置ＮＰから外れた位置から連結駒６ｆが進入しようとすると、前述した第１係合進入規制部１２に係合して連結駒６ｆの進入が阻止される。
【００２９】
また、図示しないが、他方の電磁接触器１ｂの表示窓３ｂの正規位置ＮＰから外れた内壁にも第１係合進入規制部１２が突出して形成されている。そして、可逆ユニット６の連結駒６ｇの下部にも外側に突出する第２係合進入規制部１３が形成されており、表示窓３ｂの正規位置ＮＰから外れた位置から連結駒６ｇが進入しようとすると、表示窓３ｂに形成した第１係合進入規制部１２に係合して連結駒６ｇの進入が阻止される。
【００３０】
上記構成によると、図８に示すように、可逆ユニット６の開口部６ｈ，６ｉから突出した連結駒６ｆ，６ｇの何れかが、可動接点支え４の動作表示片４ａ，４ｂに連結可能な正規位置ＮＰから外れた位置にある場合には、表示窓３ａ，３ｂの内壁から突出した第１係合進入規制部１２及び連結駒６ｆ，６ｇの下部から突出した第２係合進入規制部１３が係合して連結駒６ｆ，６ｇの進入を阻止するので、可逆ユニット６を電磁接触器１ａ，１ｂに装着することができない。一方、図９に示すように、連結駒６ｆ，６ｇを正規位置ＮＰに位置させた可逆ユニット６は、連結駒６ｆ，６ｇの第２係合進入規制部１３が、表示窓３ａ，３ｂの第１係合進入規制部１２に接触せず、連結駒６ｆ，６ｇが表示窓３ａ，３ｂに進入して動作表示片４ａ，４ｂに嵌合状態で連結し、ユニット底板６ａを消弧カバー２ａ，２ｂに当接してフック部６ｊ及び係合孔２ｃを係合することで、電磁接触器１ａ，１ｂに装着することができる。そして、連結駒６ｆ，６ｇが動作表示片４ａ，４ｂに連結すると、図１０（ｂ）に示すように、第１係合進入規制部１２の下方に位置する第２係合進入規制部１３は、可動接点支え４が駆動する方向に影響を与えない。
【００３１】
したがって、本実施形態も、表示窓３ａ，３ｂを形成している内壁に形成した第１係合進入規制部１２及び連結駒６ｆ，６ｇの下部から突出した第２係合進入規制部１３が、初期位置が保持されていない連結駒６ｆ，６ｇを備えた可逆ユニット６に対して、正規位置ＮＰ以外の位置から連結駒６ｆ，６ｇが表示窓３ａ，３ｂに進入しようとするのを阻止し、連結駒６ｆ，６ｇが動作表示片４ａ，４ｂに正常に連結されない状態を確実に防止することができる。
【００３２】
また、本実施形態は、可逆ユニット６の連結駒６ｆ，６ｇが動作表示片４ａ，４ｂに正常に連結されない状態では、２台の電磁接触器１ａ，１ｂへの可逆ユニット６の装着を不可能としているので、可逆ユニット６の誤装着を防止し、安全性を高めた可逆型電磁接触器を提供することができる。
【符号の説明】
【００３３】
１ａ，１ｂ…電磁接触器、２ａ，２ｂ…消弧カバー（ユニット装着部）、２ｃ…係合孔、３ａ，３ｂ…表示窓、４…可動接点支え、４ａ，４ｂ…動作表示片、６…可逆ユニット、６ａ…ユニット底板、６ｂ…ユニットカバー、６ｃ…第１回動板、６ｄ…第２回動板、６ｅ…回動規制部材、６ｆ，６ｇ…連結駒、６ｈ，６ｉ…開口部、６ｊ…フック部、７…駆動レバー、８…進入規制部、１０ａ，１０ｂ…凹部、１１ａ，１１ｂ…凸部、１２…第１係合進入規制部、１３…第２係合進入規制部
【図１】
2011044286.tif 000003
【図２】
2011044286.tif 000004
【図３】
2011044286.tif 000005
【図４】
2011044286.tif 000006
【図５】
2011044286.tif 000007
【図６】
2011044286.tif 000008
【図７】
2011044286.tif 000009
【図８】
2011044286.tif 000010
【図９】
2011044286.tif 000011
【図１０】
2011044286.tif 000012
【図１１】
2011044286.tif 000013
【図１２】
2011044286.tif 000014
【図１３】
2011044286.tif 000015
【図１４】
2011044286.tif 000016